(57)【要約】  【課題】  宣伝、広告の表示が為された風船部分が一定方向に回転し、宣伝、広告効果を高めることができ、かつ、容易に折り畳んで小さくまとめて持ち運びを容易に為し得る風船を用いた宣伝広告媒体を提供する。  【解決手段】上端が閉塞し、下端が開口し、上端部近傍に排出口６を有する第1の風船部４の上部を、両端が閉塞し一端部近傍に排出口２８を有した第２の風船部４中央部の風船挿通口２６に挿入し、第２の風船部２４の中間部と、第１の風船部４の頂部との間を、互いの回転を許容しつつ連結する回転許容連結手段３２を介して着脱可能に連結する。  第１の風船部４の下部にはファン２０を設けて外部から第１の風船部４内に下方から取り入れることとする。【選択図】        図１
0003107878.tif 000002
【実用新案登録請求の範囲】
【請求項１】
上端が閉塞され下端が開口し、上端部近傍に排出口を有する第1の風船部と、
両端が閉塞され、中間部に上記第1の風船部の上部が挿通される風船挿通口を有し、該風船挿通口から端部寄りの位置に排出口を有する第２の風船部と、
上記第１の風船部内の下部に設けられ、外部から空気を取り込み該第１の風船部内に空気を排出するファンと、
を備え、
上記第１の風船部の上記排出口が形成された上部が上記第２の風船部の風船挿通口に着脱可能に挿入され、
上記第２の風船部の中間部と、上記第１の風船部の上端部との間が、互いの回転を許容しつつ連結する回転許容連結手段を介して着脱可能に連結され、
外部からの空気が上記ファンにより上記第１の風船部内に取り込まれ、該第１の風船部からその排出口を通じて上記第２の風船部内に送られ、更に該第２の風船部からその上記排出口を通じて外部に噴出され、その反動で該第２の風船部が回転するようにされてなる
ことを特徴とする風船を用いた宣伝広告媒体。
【考案の詳細な説明】
【技術分野】
【０００１】
本考案は、宣伝、広告部分を回転させることができる風船を用いた宣伝広告媒体に関する。
【背景技術】
【０００２】
風船は子供の心を和ませ、また、大人に子供時代の心をよみがえらせるので、宣伝、広告に好適である。
そのような風船を利用した宣伝、広告媒体が特開２０００−１０５５６１号公報に紹介されている。
それは、風船本体の気体封入口にその風船本体とは別体の表示体を取り付け、その表示体にデザイン処理された所要の宣伝広告内容を印刷等し、その表示体の端部には風船本体及び表示体を把持する紐条を取り付けたものである。
このような技術によれば、表示体を風船の浮揚力により上記紐条により決まる高さに保持できる。
【特許文献１】特開２０００−１０６５６１号公報
【考案の開示】
【考案が解決しようとする課題】
【０００３】
ところで、上記従来の技術によれば、表示体を風船の浮揚力により上記紐条により決まる高さに保持できるが、しかし、肝腎の風船そのものには表示が為されず、しかも、表示体がほとんど静止状態に保たれ、人々の注意を引きつけにくいという問題があり、宣伝、広告効果が弱い嫌いがあった。
従って、限られた空間に数多くの展示がなされ、人が多数集まるイベント会場、展示会等で、宣伝、広告に用いてもあまり目立たず、充分な宣伝、広告効果が得られないという問題があった。
【０００４】
本考案は、このような問題を解決すべく為されたものであり、風船自体に表示ができ、しかもその表示された風船部分が一定方向に回転し、宣伝、広告効果を高めることができ、かつ、容易に折りたたんで小さくまとめて持ち運びを容易に為し得る新規な風船を用いた宣伝広告媒体を提供することを目的とする。
【課題を解決するための手段】
【０００５】
請求項１の風船を用いた宣伝広告媒体は、上端が閉塞され下端が開口し、上端部近傍に排出口を有する第1の風船部と、両端が閉塞され、中間部に上記第1の風船部の上部が挿通される風船挿通口を有し、該風船挿通口から端部寄りの位置に排出口を有する第２の風船部と、上記第１の風船部内の下部に設けられ、外部から空気を取り込み該第１の風船部内に空気を排出するファンと、を備え、上記第１の風船部の上記排出口が形成された上部が上記第２の風船部の風船挿通口に着脱可能に挿入され、上記第２の風船部の中間部と、上記第１の風船部の上端部との間が、互いの回転を許容しつつ連結する回転許容連結手段を介して着脱可能に連結され、外部からの空気が上記ファンにより上記第１の風船部内に取り込まれ、該第１の風船部からその排出口を通じて上記第２の風船部内に送られ、更に該第２の風船部からその上記排出口を通じて外部に噴出され、その反動で該第２の風船部が回転するようにされてなることを特徴とする。
尚、本願の実用新案登録請求の範囲及び明細書において、上記第２の風船部の中間部とは、中央部の意味ではなく、両端部以外という意味であり、中央部（２分の１の部分）の場合もあれば、そこから一方の端部にずれた場合も含むものとする。
【考案の効果】
【０００６】
請求項１の風船を用いた宣伝広告媒体によれば、外部からの空気がファンにより第１の風船部内に取り込まれ、その排出口を通じて第２の風船部内に送られ、更に第２の風船部からその上記排出口を通じて外部に噴出されるので、その反動で第２の風船部が回転する。従って、第２の風船部に宣伝、広告等をする表示部を設けることにより、その表示部を回転させることができる。
従って、人の目を引きやすく、宣伝、広告効果を高めることができる。
【０００７】
そして、第２の風船部の中間部と、第１の風船部の上端部との間が、互いの回転を許容しつつ連結する回転許容連結手段を介して着脱可能に連結されているので、使用時にはその回転許容連結手段により第１と第２の風船部どうしの連結状態を保つことができ、非使用時には第１と第２の風船部を必要に応じて離し、縮めて折り畳み宣伝広告媒体をコンパクトにして持ち運びを容易にすることができる。
【０００８】
尚、第１の風船部の略中心に軸を設け、その軸を第１の風船部から上側に突出させ、その突出させた部分に、第２の風船部の中間部をその部分を中心に回転可能なるように取り付けることも考えられ得るが、そのように軸を設けることは第１及び第２の風船部を取り外して折り畳むことが面倒であるのみならず、高い軸が不可欠なので宣伝広告媒体をコンパクトにすることが阻まれ、搬送性が低い。従って、本考案ではそれを採用しない。
【考案を実施するための最良の形態】
【０００９】
本考案風船を用いた宣伝広告媒体においては、第１及び第２の風船部を例えばナイロン等により形成すると良い。というのは、空気漏れがなく且つフレキシビィティが良いので、使用時には正常に動作し、非使用時には折り畳んでコンパクトにすることが容易に為し得るからである。
また、ファン等の検査、調整、修理等をしやすくするために、第１の風船部の下部にファスナーを設け、開いて中を露出させたり、締めて空気が漏れないようにしたりするようにすると良い。
また、上記回転許容連結手段は、例えば、フィッシング用具であるスイベル等が好適である。というのは、非常に低価格であり、なお且つ、機械的強度が強く、且つ回転許容力が充分で且つ寿命が長いからである。
【実施例１】
【００１０】
以下、本考案の詳細を図示実施例に基いて説明する。
図面は、本考案風船を用いた宣伝広告媒体の第１の実施例を示すもので、図１（Ａ）は宣伝広告媒体の一部切欠斜視図、（Ｂ）は第１の風船部と第２の風船部との回転許容連結手段による連結部を示す図、図２は縦断面図、図３は第１の風船部の下部の内部を示す断面図である。
図面において、２は風船を用いた宣伝広告媒体、４は第１の風船部で、下端が開口し、上端が閉塞した筒形状を有し、空気を通さないが伸縮性を有することが要求されるので、材料は例えばナイロン等の不織布が好ましいといえるが、普通の布を用い、必要に応じて空気漏れを防ぐ手段を講じるようにしても良い。例えば、塗料等を塗布する等がその空気漏れをふさぐ手段として好適である。。
６、６、・・・は第１の風船部４の上部周面に形成された排出口である。
８は第１の風船部４の下部に設けられた開閉可能なファスナー部で、使用時には閉じ、非使用時には必要に応じて開く。  
【００１１】
１０は台部で、浮かせ部１２、１２上に配置されている。そうするのは、床面と台部１０との間に間隙をつくって外部の空気が台部１０と床面との間を通って台部１０内に下から入り込めるようにするためである。
台部１０はドーナツ状の二枚の板１４、１４からなり、その板１４・１４間の中央部にてフィルタ１６を挟み、周辺部にて第１の風船部４の下端部を挟み込み、第１の風船部をほぼ垂直に保持する。１８、１８、・・・はその板１４・１４どうしを締め付け固定するねじである。
２０は上記台部１０上に配置されたファンで、下から空気を吸い込み、横へ排気する。２２はファン２０に接続された電気コードである。
【００１２】
上記ファン２０を回転させると、浮かせ部１２、１２によって床面から適宜浮いた高さにされた台部１０の中央の孔部を通じて外部から第１の風船部４内のファン２０にその下から空気が吸い込まれ、その際、その空気がフィルタ１６を通過する。そして、そのファン２０から側方へ空気が排気される。その排気された空気は第１の風船部４内を上に進むことになる。この空気が後で説明する第２の風船部の回転力をつくる。次に、第２の風船部について説明する。
【００１３】
２４は第２の風船部で、第１の風船部４と同じ材料からなり、円筒体の両端を閉塞した構造を有し、中間部（両端をのぞくという意味）、例えば略中央部に第１の風船部４の上部が挿通される風船挿通口２６を有する。また、第２の風船部２４の一方の端部に空気を排出する排出口２８を有する。この排出口２８は１個でも良いが、複数個でも良い。但し、複数個設ける場合には、排出される空気の排出方向が一つの回転方向に沿う方向になるようにする必要がある。
上記風船挿通口２６には、上記第１の風船部４の上部が挿入され、該風船部４上部に形成された排出口６、６、・・・は第２の風船部２４内に入り込んだ状態になる。
【００１４】
３０は第２の風船部２４内にて該第２の風船部２４と、第１の風船部４の頂部との間を連結する連結部で、回転許容連結手段３２を用いている。この回転許容連結手段３２は例えばスイベルと称されるものであり、一端部３２ａと他端３２ｂとは互いに回転が可能な状態で回転軸方向における位置関係は固定されている。
そして、上記回転許容連結手段３２の一端部３２ａは、第２の風船部２４に固定された着脱可能な引っ掛け具３４に、引っ掛けられ、回転許容連結手段３２の他端部３２ｂは、第１の風船部４の頂部に固定された着脱可能な引っ掛け具３４に引っ掛けられている。
従って、第１と第２の風船部４、２４は互いに連結される。
依って、ファン２０によって吸い込まれて第１の風船部４内を上昇する空気の圧力によって第２の風船部２４が第１の風船部４から離れてしまうということは回避することができ、宣伝広告媒体２が正常に動作する状態を維持することができるのである。
【００１５】
４０、４０、・・・は第２の風船部２４の外面に取り付けられた表示片（図示しない）取り付け用の面ファスナーで、表示片に取り付けられた面ファスナーと着脱可能に取り付けられる。
従って、宣伝、広告用の表示片を第２の風船部２４の外面に表示片を着脱可能に取り付け、宣伝、広告を為すことができる。そして、宣伝、広告の内容を変更するには、表示片を交換すればよい。
【００１６】
次に、宣伝広告媒体の動作について説明する。
上記ファスナー８を締めた状態にし、ファン２０を回転させると、外部の空気がそのファン２０によって吸い込まれ、第１の風船部４の下部から上に流れる。そして、その空気は第１の風船部４の排出口６、６、・・・から第２の風船部２４内に排出される。
そして、第２の風船部２４内に流れ込んだ空気は排出口２８を通じて外部に噴出される。すると、その反動でその噴出方向と逆の方向に回転力が生じ、回転する。
従って、第２の風船部２４は略一定の速度で回転し、それに面ファスナー４０、４０、によって取り付けられた図示しない表示片が回転する。
【００１７】
尚、使用が終了し、例えば他のイベント会場等に移動するような場合には、ファン２０を停め、上記ファスナー８を開き、第１、第２の風船部４、２４から空気を抜き、畳み、且つ、引っ掛け部３４、３４から上記回転許容連結手段３２を取り外し、宣伝広告媒体をコンパクトに一つの塊りにまとめて持ち運ぶ。その塊りを専用のバッグに入れるようにしても良い。
【産業上の利用可能性】
【００１８】
本考案は風船を利用し、常に宣伝、広告部分を回転させることができる風船を用いた宣伝広告媒体に広く利用可能性があり、特にイベント会場や展示会場等での宣伝、広告への利用可能性が強い。
【図面の簡単な説明】
【００１９】
【図１】（Ａ）は本考案風船を用いた宣伝広告媒体の第１の実施例の一部切欠斜視図、（Ｂ）は第１の風船部と第２の風船部との回転許容連結手段による連結部を示す図である。
【図２】上記実施例の縦断面図である。
【図３】図３は第１の風船部の下部の内部を示す断面図である。
【符号の説明】
【００２０】
２・・・風船を用いた宣伝広告媒体、４・・・第１の風船部、６・・・排出口、
１０・・・台部、２４・・・第２の風船部、２６・・・風船挿通口、２８・・・排出口、
３０・・・連結部、３２・・・回転許容連結手段。
【図１】
0003107878.tif 000003
【図２】
0003107878.tif 000004
【図３】
0003107878.tif 000005